(57)【要約】【課題】  既設の扉体に設けられた下部の支持金物の変形防止に有効であり、複雑な調整作業が不要である支持金物の変形防止部材を提供する。【解決手段】  下端部が下部支持金具（２１）によって正面パネル（Ｓ１）に枢設されているドアパネル（Ｄ）に用いられ、上記下部支持金具と設置面（Ｍ）との間に形成される下部空間（Ｋ）において、上記支持金具に接して介設される支持金物変形防止板（４０）であって、板状体から形成されており、着脱自在に構成されている構成とした。【選択図】  図４
2017193826.tif 000002
【特許請求の範囲】
【請求項１】
下端面の少なくとも一部がＬ字形状の支持金物に載置された状態で、支持体に支持される扉体に用いられ、
前記支持金物と設置面との間に形成される下部空間において、前記支持金物に接して介設される支持金物変形防止部材であって、
少なくとも１枚の板状体から形成されており、着脱自在に構成されていることを特徴とする支持金物変形防止部材。
【請求項２】
前記板状体の上面部における少なくとも一部には、装着時において、前記支持金物の下面と接する際のスライドを容易にするためのガイド部を有していることを特徴とする請求項１に記載の支持金物変形防止部材。
【請求項３】
前記板状体は、
その装着時において前記支持金物に最初に接する一端側の縁部が、前方に向かい下向きに傾斜して形成されていることを特徴とする請求項１又は請求項２に記載の支持金物変形防止部材。
【発明の詳細な説明】
【技術分野】
【０００１】
本発明は、開き戸又は折り戸等を構成する扉体を支持するために設けられる、下部の支持金物と設置面との間に介装され、当該支持金物の変形を防止するための部材に関する。
【背景技術】
【０００２】
病院、学校、駅等の各種公共施設等において、簡易かつ経済的にトイレを設置するために各種のトイレブースが用いられている。  一般的に、従来の開き戸タイプのトイレブースＢ’は、巾木Ｈ’を介装させて設置面に支持された扉枠Ｓ’に対して、扉体Ｄ’の上端部が上部支持金具１１’により、下端部が下部支持金具２１’により枢設されている。また、公共空間において設置される上記トイレブースＢ’には、犯罪防止や緊急時等における対応の便宜のために、扉体Ｄ’と設置面Ｍ’との間に所定高さの隙間空間Ｋ”が設けられている（図７）（特許文献１参照）。
【０００３】
ところで、上記隙間空間を利用した盗撮の危険があることから、上記隙間空間を可能な限り少なくする対策が講じられるトイレも増加している。このようなトイレの場合には、扉体の下端部を巾木の上面部よりも低い位置に設ける必要がある。その際、巾木と扉枠の規格の違いにより、下部支持金具と巾木の間に間隙が生じてしまい、扉体の重量により下部支持金具が変形してしまうことがある。その場合には、扉体の支持が不充分となることから、扉体の開閉に支障が生じ、さらに、当該支障により、扉体の耐久性の悪化にも繋がる場合が生じる。従来、隙間空間における下部支持金具の変形対策としては、床面上に設置されたねじ式のアジャスタ装置により、下部支持金具を支持することが行われていた（類似の技術として、特許文献２参照）。
【先行技術文献】
【特許文献】
【０００４】
【特許文献１】特開２００１−２２７２３６号公報
【特許文献２】特開２００７−１９８０６５号公報
【発明の概要】
【発明が解決しようとする課題】
【０００５】
しかし、隙間空間を可能な限り少なくする対策が講じられるトイレでは、隙間空間に従来のアジャスタ装置を組み込めないという問題点を有していた。また、トイレブースは、扉枠に下部支持金物を取り付けた状態で、取り付けの現場に搬入されることがある。その場合には、取り付け後の下部支持金具に対して、変形防止の対応を講じなければならないという問題点を有しており、その作業が非常に難しいという問題点を有していた。
【０００６】
本発明は、上記問題点を解決するためになされたものであり、既設の扉体に設けられた下部の支持金物の変形防止に有効であり、複雑な調整作業が不要である支持金物の変形防止部材を提供することを目的としている。
【課題を解決するための手段】
【０００７】
上記目的を達成するために、本発明の支持金物変形防止部材は、下端面の少なくとも一部がＬ字形状の支持金物に載置された状態で、支持体に支持される扉体に用いられ、上記支持金物と設置面との間に形成される下部空間において、上記支持金物に接して介設される支持金物変形防止部材であって、少なくとも１枚の板状体から形成されており、着脱自在に構成されていることを特徴としている。
【０００８】
ここで、支持体とは、トイレユニット等に用いられる入口部に設けられる扉体を支持する構成要素であり、扉パネル等のパネル材や、門型である扉枠などのフレーム材等である。
また、扉体は、上記のとおり、開閉することにより入口部を構成する部材であり、開き戸及び折れ戸等に適用することができる。
【０００９】
また、扉体は、下端部が支持金物によって支持体に枢設されていることを前提とするものであるが、一般的な扉体と同様に、その上部にも支持金物が設けられているものであってもよい。
【００１０】
また、支持金物変形防止部材は、板状に形成されていればその枚数は問わないものであり、下部空間の寸法に応じて、１枚の部材を用いてもよく、又は、厚さが同一或いは異なる複数枚の部材を積層して用いるものであってもよい。
【００１１】
本発明の支持金物変形防止部材によれば、板状体から形成されており、着脱自在に構成されているため、既設の扉体における下部空間の寸法に対応して、事後的に介設することのみで、その設置を行うことができる。したがって、複雑な調整作業が不要であり、容易に支持金物の変形を防止することが可能となる。
【００１２】
また、本発明の支持金物変形防止部材において、上記板状体の上面部における少なくとも一部には、装着時において、前記支持金物の下面と接する際のスライドを容易にするためのガイド部（案内部）を有していることを特徴としている。
【００１３】
ここで、上記ガイド部とは、支持金物変形防止部材を下部空間に挿設する際に、支持金物の下面の適切な位置に配置されるように、その動作を誘導するために設けられるものであり、突出部、溝部等の構成要素を用いることができる。また、少なくとも一部に設けられていればよいが、上面部における周縁に設けることが好適である。
【００１４】
本発明によれば、上記板状体の上面部における少なくとも一部に、ガイド部を有しているため、狭隘な下部空間に支持金物変形防止部材を介設する作業を、更に容易に行うことが可能となる。
【００１５】
また、本発明において、上記板状体は、その装着時において上記支持金物に最初に接する一端側の縁部が、前方に向かい下向きに傾斜して形成されている構成とすれば、支持金物と設置面との間に形成される下部空間に、板状体を挿設しやすいために好適である。
【発明の効果】
【００１６】
本発明によれば、既設の扉体に設けられた下部の支持金物の変形防止に有効であり、複雑な調整作業が不要である支持金物の変形防止部材を提供することができる。
【図面の簡単な説明】
【００１７】
【図１】本発明の支持金物変形防止板を適用したトイレブースを示す斜視図である。
【図２】本発明の支持金物変形防止板を適用した開き戸を示す斜視図である。
【図３】本発明の支持金物変形防止板と下部支持金物等を拡大した側面図である。
【図４】本発明の支持金物変形防止板と下部支持金物を拡大した斜視図である。
【図５】本発明の支持金物変形防止板の斜視図である。
【図６】本発明の支持金物変形防止板と下部支持金物等を拡大した他の実施形態における側面図である。
【図７】従来のトイレブースを示す側面図である。
【発明を実施するための形態】
【００１８】
以下、図面を参照しつつ、本発明の支持金物変形防止板（支持金物変形防止部材）（以下、「本変形防止板」という場合がある。）の実施形態の一例について詳細に説明する。なお、図面に基づく説明においては、同一要素には同一符号を付し、重複する説明を省略する。また、下記の説明において、左右の向きは、図１を正面から見た方向を基準とする。
【００１９】
［全体構成］
図１に示すように、本変形防止板４０が適用されるトイレブースＢは、各種公共施設等に設置されるものであり、本実施形態では、開き戸であるドアパネルＤ（扉体）を例として説明する。
【００２０】
上記トイレブースＢは、間仕切り用のパネルを下部の巾木Ｈを介装させて、設置面Ｍに据え付けることにより形成されている。すなわち、壁Ｗから垂直方向に設置されている２枚の横仕切りパネルＹと、入口部を形成するために所定の開口を設けた状態で、当該横仕切りパネルＹと直交する向きに設置されている２枚の正面パネルＳ１、Ｓ２（支持体）により、平面視で長方形形状の一区画のスペースに区切られている。
【００２１】
各横仕切りパネルＹと各正面パネルＳ１，Ｓ２は、天井部（図示せず）との間に所定の間隙を有して立設しており、入口部には、使用者がその内部に出入りする際に開閉するためのドアパネルＤが枢設されている。上記構造により、設置面Ｍと後記下部支持金具２１（支持金物）との間に、下部空間Ｋ（図３）が形成されている。
【００２２】
［軸釣装置］
上記ドアパネルＤは、一対である上下のヒンジ部を備えたピボットヒンジ型の軸釣装置Ｊを介して、右側の正面パネルＳ１に回動自在に取り付けられている。この軸釣装置Ｊは、上ヒンジ部としての上部支持部材１０と、下ヒンジ部としての下部支持部材２０とから構成されており、ドアパネルＤの上部側を上部支持部材１０により、下部側を下吊支持部材２０によりそれぞれ軸釣して、ドアパネルＤが回動自在に取り付けられる構造になっている。
【００２３】
図２に示すように、上部支持部材１０は、右側正面パネルＳ１に取り付けられている上部支持金具１１と、ドアパネルＤに取り付けられる上部枢着具１５と、上部枢着具１５に被装されている抜止め具１３とを備えている。
【００２４】
上部支持金具１１は、水平部１１ａと鉛直部１１ｂとから構成される倒立したＬ型形状の部材であり、鉛直部には４箇所に取付孔（図示せず）が、水平部の先端に軸孔１１ｃが各々設けられている。
【００２５】
上部枢着具１５は、公知の構造であるため詳述しないが、軸筒本体１６と、付勢バネ（図示せず）と、上部ピボット軸１７と、軸受１８とを主要部材としている。そして、筒状本体１６の筒部（図示せず）に、上方向に付勢力が作用している付勢バネと上部ピボット軸１７が挿設され、当該上部ピボット軸１７は、軸孔１１ｃに嵌装されている軸受１８を介して軸支されている。
【００２６】
図３及び図４に示すように、下部支持部材２０は、右側正面パネルＳ１の側面木口の下端にねじ止めされている下部支持金具２１と、当該下部支持金具２１に枢着されている下部枢着具２５とを備えている。下部支持金具２１は、水平部２１ａと鉛直部２１ｂとから構成されるＬ型形状の部材であり、鉛直部２１ｂには４箇所に取付孔２１ｃが、水平部の先端には軸孔（図示せず）が各々設けられている。
【００２７】
下部枢着具２５も公知の構造であるため詳述しないが、下部ピボット軸２６と、挿通孔を有するガイド板２７と、筒状体の上端に傾斜カム面が形成されている下側カム２８と、筒状体の下端に傾斜カム面が形成されている上側カム２９と、挿通孔を有する取付板３１と、カムキャッププレート３２とを主要部としている（各挿通孔は図示せず）。
【００２８】
下部ピボット軸２６は、ガイド板２７の挿通孔と、下側カム２８及び上側カム２９の筒状体と、取付板３１の挿通孔とに挿通され、カムキャッププレート３２が被嵌されている。下側カム２８と上側カム２９の各傾斜カム面は、対向して接触しているため、上側カム２９を、下部ピボット軸２６の周りに回動可能であり、かつ、各傾斜カム面に案内されて上下動可能に保持されるようになっている。
【００２９】
なお、図示しないが、下部ピボット軸２６は、傾斜カム面の接触位置の位置決め機構により、ドアパネルＤの自重により常時閉止状態とする態様に設置すること、及び常時開放状態とする態様に設置することを選択して、初期設定することができる構造となっている。この場合において、常時閉止状態とする場合には、下部空間Ｋ（図３）の高さが高く形成され、常時開放状態とする場合には、下部空間Ｋ’（図６）の高さが低く形成されることになる。
【００３０】
［本変形防止板］
本実施形態では、２枚の同一構造の本変形防止板４０が積層して用いられている（図３及び図４）。図５に示すように、本変形防止板４０は、ドアパネルＤの重量を支持することが可能となる耐荷性及び防水性能を有する合成樹脂製である。
本変形防止版４０は、右側正面パネルＳ１の方向に位置する先端部が長方形形状であり、後部が半円形状（平面視）に形成されており、下部支持金物２１を全面で支持することができるように、当該下部支持金物２１の底面の長さと同一の長さ寸法かつ幅寸法に形成されている。
【００３１】
本変形防止板４０の上面における後端部及び当該後端部と接続している側面の縁辺部（前面部を除く周縁部）には、所定幅であるガイド縁部４１（ガイド部）が立設しており、下部空間Ｋに先端部が挿設しやすいように形成されている。また、下面には、積層した際に、上記ガイド縁部と嵌合する形態で、その全周の縁部に係合辺部４２が形成されている。なお、下面は、縦横方向に設けられている複数のリブ（図示せず）により補強されている。
【００３２】
そして、本変形防止板４０の上面は、挿設時における便宜のため、先端部（下部支持金物２０に最初に接する一端側の縁部）は、前方に向かい下向きに傾斜する傾斜面４３を有している。また、先端部から後端部に向かって、先端部の傾斜角度と比較して、緩やかに下向きに傾斜して形成されている。なお、本変形防止板４０は、装設後には、ドアパネルＤの重量が作用することにより、下部支持金物２１と本変形防止板４０とが密着するようになっている。
【００３３】
［本変形防止板の作用及び効果］
続いて、本変形防止板４０の作用について説明する。
図３に示すように、トイレブースＢにおいて、右側正面パネルＳ１に既に、ドアパネルＤが取り付けられている場合において、上記のように設置面Ｍと下部支持金物２１との間の下部空間Ｋが形成されている。
【００３４】
この下部空間Ｋの右側正面パネルＳ１と対向する側から、積層した２枚の本変形防止板４０における長方形形状の先端部を、設置面Ｍをスライドさせながら挿入する。その際、ガイド縁部４１は、下部支持金物２１の下側側面部と接しながら、右側正面パネルＳ１の方向に移動することになり、その部分がガイドの役割を果たしながら挿設されることになる。
【００３５】
その後、本変形防止板４０は、使用時にはドアパネルＤの自重が作用しているため、その位置を保持することになる。
一方、本変形防止板４０を取り外す場合には、ドアパネルＤを少しの力で上方に持ち上げ、右側正面パネルＳ１と反対方向にスライドさせることにより、容易に行うことができる。
【００３６】
なお、上記のように、下側カム２８及び上側カム２９の接触位置を変更することにより、ドアパネルＤに関し、常時閉止状態とする態様と常時開放状態とする態様に切り替えることができる。そのため、図６に示すように、常時開放状態とした場合には、下部空間Ｋ’の高さが低くなるため、１枚のみの本変形防止板４０を使用して、上記と同様の方法により挿設することができる。
【００３７】
本変形防止板４０によれば、板状に形成されており、着脱自在に構成されているため、既設のドアパネルＤにおける下部空間Ｋ，Ｋ’の寸法に対応して、事後的に介設することのみでその設置を行うことができる。したがって、複雑な調整作業が不要であり、容易に下部支持金物２１の変形を防止することが可能となる。
【００３８】
また、本変形防止板４０によれば、上面における前面部以外の側面部及び後端部に、ガイド縁部４１を有しているため、狭隘な下部空間Ｋにおける介設作業を更に容易に行うことが可能となる。
加えて、本変形防止板４０の上面は、先端部が前方に向かい下向きに傾斜して形成され、かつ、先端部から後端部に向かい、先端部の傾斜角度と比較して、緩やかに下向きに傾斜して形成されていることからも、介設作業を容易に行うことが可能となる。
【００３９】
さらに、本変形防止板４０は、トイレブースＢの構成部材とは別体であり、複数枚を使用して積層が可能であるため、種々の下部空間Ｋ、Ｋ’の寸法に対応することができる。
【００４０】
以上、本発明について、好適な実施形態についての一例を説明したが、本発明は当該実施形態に限られず、本発明の趣旨を逸脱しない範囲で、適宜設計変更が可能である。
【００４１】
例えば、トイレブースの構造に制限はなく、各横仕切りパネルと各正面パネルが隙間なく天井部まで立設している場合であってもよい。また、扉体は、開き戸の場合を説明したが、支持構造が同様であれば、折れ戸であってもよい。さらに、開き戸の支持構造に関しても、上記軸釣装置に限定されるものではなく、支持金物と扉体との間に下部空間が形成される構造であればよい。
【００４２】
また、支持金物変形防止部材は、板状に形成されており、上部の加重に耐えうるものであれば、材質、形状、枚数等を問わないものである。また、ガイド部の形態に関しても、装設時の便に資するものであれば適宜に変更が可能である。
【符号の説明】
【００４３】
Ｂ      トイレブース
Ｋ，Ｋ’      下部空間
Ｄ      ドアパネル（扉体）
Ｓ１，Ｓ２    正面仕切りパネル（支持体）
Ｊ      軸釣装置
１０    上部支持部材
１１    上部支持金具
１５    上部枢着具
２０    下部支持部材
２１    下部支持金具（支持金物）
２５    下部枢着具
４０    変形防止板（取付金具変形防止部材）
４１    ガイド縁部（ガイド部）
４２    係合辺部
４３    傾斜面
【図１】
2017193826.tif 000003
【図２】
2017193826.tif 000004
【図３】
2017193826.tif 000005
【図４】
2017193826.tif 000006
【図５】
2017193826.tif 000007
【図６】
2017193826.tif 000008
【図７】
2017193826.tif 000009